(57)【特許請求の範囲】
【請求項１】
複数のベンチュリ管を並列に配置した状態で保持する保持部材と、該保持部材に並列配置した状態で保持された複数のベンチュリ管と、該複数のベンチュリ管ののど部に形成されて薬剤をのど部に注入するための注入口と、前記複数のベンチュリ管ののど部外周部に設置されて前記注入口に薬剤を分配して供給する薬剤分配部材とを備えてなり、
該薬剤分配部材は、複数のベンチュリ管がそれぞれ挿入される複数の開口部と、該開口部の周壁に形成された薬剤の流路とを有し、該流路は、開口部の周壁に形成された溝部と、開口部に挿入されたベンチュリ管の周壁とによって形成されており、全ての開口部に形成された流路が連通していることを特徴とするベンチュリ管装置。
【請求項２】
請求項１に記載のベンチュリ管装置を備えたバラスト水処理装置であって、ベンチュリ管装置の上流側に設けられて海水をろ過して水生生物を捕捉するろ過装置と、薬剤分配部材に連結されて該薬剤分配部材に殺菌剤を供給する殺菌剤供給管と、該殺菌剤供給管に供給する殺菌剤を貯留する殺菌剤貯槽とを備えたことを特徴とするバラスト水処理装置。
【請求項３】
薬剤分配部材の流路に連通して該流路に空気を供給する空気供給管と、該空気供給管に空気を供給する空気供給装置とを備えたことを特徴とする請求項２に記載のバラスト水処理装置。
【発明の詳細な説明】
【技術分野】
【０００１】
本発明は、例えば船舶のバラストタンクに積み込むバラスト水に含まれる有害水生生物及び微生物を効率的に殺滅するためのベンチュリ管装置及び該ベンチュリ管を用いたバラスト水処理装置に関する。
【背景技術】
【０００２】
一般に、空荷または積荷が少ない状態の船舶は、プロペラ没水深度の確保、空荷時における安全航行の確保等の必要性から、出港前にバラスト水の注水を行う。逆に港内で積荷をする場合には、バラスト水の排出を行う。
ところで、環境の異なる荷積み港と荷下し港との間を往復する船舶によりバラスト水の注排水が行われると、バラスト水に含まれる微生物の差異により沿岸生態系に悪影響を及ぼすことが懸念されている。
そこで、船舶のバラスト水管理に関する国際会議において２００４年２月に船舶のバラスト水及び沈殿物の規制及び管理のための国際条約が採択され、バラスト水の処理が義務付けられることとなった。
【０００３】
バラスト水の処理基準として国際海事機構（ＩＭＯ）が定める基準は、船舶から排出されるバラスト水に含まれる５０μｍ以上の生物（主に動物プランクトン）の数が１ｍ３中に１０個未満、１０μｍ以上５０μｍ未満の生物（主に植物プランクトン）の数が１ｍｌ中に１０個未満、コレラ菌の数が１００ｍｌ中に１cfu未満、大腸菌の数が１００ｍｌ中に２５０cfu未満、腸球菌の数が１００ｍｌ中に１００cfu未満となっている。
【０００４】
バラスト水の処理技術として、海水をろ過して水生生物を捕捉するろ過装置と、海水中の細菌類を死滅させる殺菌剤をろ過された海水中に供給する殺菌剤供給装置と、殺菌剤が供給されたろ過水の供給を受けて該ろ過水中にキャビテーションを発生させてろ過水中に前記殺菌剤を拡散させると共にろ過水中の水生生物に対して損傷を与えるか死滅させるベンチュリ管とを備え、大量のバラスト水を処理するため複数のベンチュリ管を並列に配置した装置が提案されている（例えば、特許文献１参照）。
また、特許文献１には、殺菌剤を添加された海水に中和剤を供給して海水中に残存する殺菌剤を中和することにより無害化してから海に排出することが記載されている。
【特許文献１】特開２００７−１０５６６６号公報
【発明の開示】
【発明が解決しようとする課題】
【０００５】
特許文献１に記載のバラスト水処理装置においては、前述のように殺菌剤をろ過された海水中に供給するための殺菌剤供給装置と、殺菌剤が供給されたろ過水の供給を受けて該ろ過水中にキャビテーションを発生させるベンチュリ管５１とを備えている（図６参照）。
そして、殺菌剤供給装置は、図示しないポンプによって殺菌剤をベンチュリ管５１の上流側に設けた薬剤注入部５３に供給するというものである。
しかしながら、薬剤注入部５３をベンチュリ管５１から離れた部位に別個の装置として設けているので、装置が大型となり、設置のための大きな空間が必要となり、機器の設置空間を十分に確保できない船舶に搭載する際に支障が生じる場合があるという問題がある。
【０００６】
また、特許文献１においては、残留する殺菌剤を無害化処理するために殺菌剤分解剤をバラスト水に供給する旨が記載されているが、殺菌剤分解剤を供給すると殺菌剤分解剤がバラスト水中の酸素と反応して溶存酸素量が低下し、このようなバラスト水を排水すると周辺環境に悪影響を及ぼすという問題もある。
【０００７】
本発明はかかる問題点を解決するためになされたものであり、設置場所として大きな空間を必要としないバラスト水処理装置の実現を可能とする技術の提供を目的としている。
また、バラスト水の排出に際して周辺環境への悪影響を防止する技術の提供を目的としている。
【課題を解決するための手段】
【０００８】
（１）本発明に係るベンチュリ管装置は、複数のベンチュリ管を並列に配置した状態で保持する保持部材と、該保持部材に並列配置した状態で保持された複数のベンチュリ管と、該複数のベンチュリ管ののど部に形成されて薬剤をのど部に注入するための注入口と、前記複数のベンチュリ管ののど部外周部に設置されて前記注入口に薬剤を分配して供給する薬剤分配部材とを備えてなり、
該薬剤分配部材は、複数のベンチュリ管がそれぞれ挿入される複数の開口部と、該開口部の周壁に形成された薬剤の流路とを有し、該流路は、開口部の周壁に形成された溝部と、開口部に挿入されたベンチュリ管の周壁とによって形成されており、全ての開口部に形成された流路が連通していることを特徴とするものである。
【０００９】
「流路が全ての開口部に形成された流路と連通する」とは、各開口部に形成された流路が直接連通する場合、あるいは他の開口部に形成された流路を介して連通する場合の両方を含む。
【００１０】
本発明のベンチュリ管装置は、複数のベンチュリ管を並列に配設した構造とすることにより、大量の処理水を処理することが可能である。
また、ベンチュリ管ののど部に直接薬剤を供給する構造であるため、ベンチュリ管の上流において薬剤を供給する構造に比べて、コンパクトな構成となり設置場所を小さくできる。
さらに、薬剤をベンチュリ管ののど部に供給するので、ベンチュリ管のエジェクタ作用により殺菌剤が自吸され、薬剤を供給するための供給ポンプの能力を低減でき、薬剤供給に関わる装置の小型化、省スペース、省エネルギー、コストダウンの効果がある。
【００１２】
開口部の周壁に溝部を形成することによって薬剤の流路を形成するようにしたので、流路の形成が容易である。
また、各ベンチュリ管の注入口には同条件で薬剤が供給されることになるので、各ベンチュリ管に等しい量の薬剤が供給され、効果的な薬剤供給が実現できる。
【００１３】
（２）本発明に係るバラスト水処理装置は、上記（１）に記載のベンチュリ管装置を備えたバラスト水処理装置であって、ベンチュリ管装置の上流側に設けられて海水をろ過して水生生物を捕捉するろ過装置と、薬剤分配部材に連結されて該薬剤分配部材に殺菌剤を供給する殺菌剤供給管と、該殺菌剤供給管に供給する殺菌剤を貯留する殺菌剤貯槽と、を備えたことを特徴とするものである。
【００１４】
上記のような構成を備えることにより、海水中の水生生物と細菌類を死滅または除去して、有害生物を含まないバラスト水を船舶に供給できる。
なお、各構成の主な機能は以下の通りであり、各構成の機能が有機的に作用して海水中の水生生物の死滅効果を高めている。
ろ過装置によって海水中の動物性プランクトン等比較的大型の水生生物を捕捉して除去し、殺菌剤貯槽から殺菌剤供給管を介してベンチュリ管装置に殺菌剤が供給され海水中の細菌類を殺滅する。
また、ベンチュリ管によって殺菌剤が供給されたろ過水にキャビテーションを発生させて、植物性プランクトン等の比較的小型の水生生物に対して損傷を与えるか死滅させ、さらにキャビテーションによってろ過水中に殺菌剤を急速に拡散させて殺菌剤による細菌類の殺菌作用を促進させる。このようにキャビテーションの拡散作用により殺菌剤の海水中への混合を促進するため、殺菌剤を注入するだけの場合に比べて殺菌剤の供給量を低減でき、また環境への影響を低減でき、さらに殺菌剤を無害化するための殺菌剤分解剤の供給を不要にするかまたは低減できる。
【００１５】
（３）また、上記（２）に記載のものにおいて、薬剤分配部材の流路に連通して該流路に空気を供給する空気供給管と、該空気供給管に空気を供給する空気供給装置とを備えたことを特徴とするものである。
【００１６】
殺菌剤が残留している海水に殺菌剤分解剤を供給して殺菌剤を分解して無害化し、さらに海水に空気を供給して殺菌剤分解剤により酸素が消費され低下した海水中の溶存酸素量を回復させる。ベンチュリ管ののど部に空気を供給するので、大量の空気を短時間で大量の海水と接触させることができ、またベンチュリ管のディフューザ部ではキャビテーションが発生して海水の流れに大きな乱れが発生するので、注入気泡が微細化されて気液の接触面積が大幅に増加するため、海水への空気の溶け込みが非常に効率良く行われる。このため、管路を流れている間に海水中の溶存酸素量を周辺環境に悪影響を及ぼさないレベルにまで容易にかつ迅速に回復できる。
また、別に曝気装置を設ける必要が無いので、装置全体をコンパクトにできる。
さらに、殺菌剤を供給する注入機構と空気を供給する注入機構とを兼用させているので、さらにバラスト水処理装置をコンパクトにできる。
【００１７】
なお、薬剤分配部材の流路に連通する空気供給管は、前記流路に直接連結される構成でもよく、また殺菌剤供給管に連結されて殺菌剤供給管を介して前記流路に連通される構成でもよい。空気供給管が殺菌剤供給管に連結される構成の場合には、殺菌剤供給管に殺菌剤が供給される場合と空気が供給される場合とで切り替えをする切替弁を設けるようにすればよい。
【発明の効果】
【００１８】
本発明に係るベンチュリ管装置においては、薬剤の注入機構をベンチュリ管に設けたので装置がコンパクトになり、これをバラスト水処理装置として用いることにより、設置場所として大きな空間を必要としないバラスト水処理装置が実現できる。
また、本発明に係るバラスト水処理装置によれば、大量のバラスト水を効率的に処理でき、設置場所が小さいバラスト水処理装置を提供することができる。
また、バラスト水の排出に際して、溶存酸素量の低下した海水を排出して周辺環境へ悪影響を及ぼすことを防ぐことができる。
【発明を実施するための最良の形態】
【００１９】
［実施の形態１］
以下、図面を用いて、本発明に係るバラスト水処理装置について、最良の形態の一例を具体的に説明する。
図１は本発明の一実施の形態に係るバラスト水処理装置の構成を示す図である。図１に示すバラスト水処理装置は、海水を取水し、取水した海水に生物殺滅処理を施してバラストタンクに送水する機能と、バラストタンクの海水を海に排水する際に無害化処理をする機能の両方の機能を備えている。
【００２０】
本実施の形態に係るバラスト水処理装置は、図１に示すように、海水を船内に取り込むための海水取水ライン１、海水取水ライン１によって取水された海水中の粗大物を除去する粗ろ過装置２、海水を取り込む機能と後述のバラストタンク９のバラスト水を海へ送水する機能を有するポンプ３、粗ろ過装置２によって粗大物が除去された海水中に存在するプランクトン類を除去するろ過装置４、ろ過装置４でろ過された海水に細菌類を死滅させる殺菌剤を供給する殺菌剤供給装置５、ろ過装置４でろ過されたろ過水の供給を受けて該ろ過水にキャビテーションを発生させるベンチュリ管装置６、殺菌剤を添加されてバラストタンク９に貯留されていた海水に殺菌剤分解剤を供給する殺菌剤分解剤供給装置７、殺菌剤分解剤が添加されたバラスト水に空気を供給する空気供給装置８、殺菌剤が添加された処理水を後述のバラストタンク９に送水する処理水送水ライン１０、処理水送水ライン１０から送水される処理水を貯留するバラストタンク９、バラストタンク９内のバラスト水を殺菌剤分解剤供給装置７に供給する第１バラスト水供給ライン１１、殺菌剤分解剤が添加されたバラスト水をろ過装置４をバイパスしてベンチュリ管装置６に供給する第２バラスト水供給ライン１２、ベンチュリ管装置６と空気供給装置８によって空気を供給されたバラスト水を海に排水するバラスト水排水ライン１３、を備えている。
以下、各装置をさらに詳細に説明する。
【００２１】
１．粗ろ過装置
粗ろ過装置２は、ポンプ３によって、船側部に設けられたシーチェスト（海水吸入口）から海水取水ライン１を通して取水される海水中に含まれる大小様々な夾雑物、水生生物のうち１０ｍｍ程度以上の粗大物を除去するためのものである。
粗ろ過装置２としては１０ｍｍ程度の孔を設けた筒型ストレーナ（こし器）、水流中の粗大物を比重差により分離するハイドロサイクロン、回転スクリーンにより粗大物を捕捉し掻揚げ回収する装置等を用いることができる。
【００２２】
２．ろ過装置
ろ過装置４は粗ろ過装置２によって粗大物が除去された海水中に存在するプランクトン類を除去するものであり、目開き１０〜２００μｍのものを用いる。
目開きを１０〜２００μｍにしたのは動物性プランクトン、植物性プランクトンの捕捉率を一定のレベルに保ちつつ、逆流洗浄頻度を少なくして寄港地でのバラスト水処理時間を短縮するためである。逆に言えば、目開きが２００μｍより大きいと動物プランクトン、植物プランクトンの捕捉率が著しく低くなるし、目開きが１０μｍより小さいと逆流洗浄頻度が多くなり寄港地でのバラスト水処理時間が長くなるので好ましくない。特に目開き５０μｍ程度のものを用いるのが、捕捉率と逆流洗浄頻度とを最適に設定できるので、好ましい。
【００２３】
ろ過装置４の具体例としては、ノッチワイヤフィルタまたはウェッジワイヤフィルタを用いることが好ましい。
ノッチワイヤフィルタとは、ノッチ（突起）を設けたワイヤを枠体に巻きつけて形成した筒型のエレメントを、ケーシング内に保持し、このケーシングに送水及び逆洗浄のためのバルブ及び配管を設けたものである。筒型のエレメントは、ノッチによってワイヤ同士の間隔を、ろ過通路寸法である１０〜２００μｍに保持している。
このノッチワイヤフィルタの具体例としては、神奈川機器工業製ノッチワイヤフィルタがある。
ウェッジワイヤフィルタとは、断面が三角形のワイヤを枠体に巻きつけて形成した筒型のエレメントを、ケーシング内に保持し、このケーシングに送水と逆洗浄のためのバルブと配管を設けたものである。筒型のエレメントは、ワイヤ同士の間隔をろ過通路寸法である１０〜２００μｍになるように調整している。
このウェッジワイヤフィルタの具体一例としては、東洋スクリーン工業製ウェッジワイヤフィルタがある。
【００２４】
また、ろ過装置４の他の好ましい具体例として積層ディスク型ろ過器がある。積層ディスク型ろ過器とは、両面に複数の斜状溝を形成したドーナツ型のディスクを軸方向に圧締して積層し、環状にしたものであり、隣接するディスクの溝によって形成される間隙に通水して、水生生物をろ過するものである。積層ディスク型ろ過器においては、斜状溝の寸法を適宜調整することにより目開きを１０〜２００μｍにできる。
なお、積層ディスク型ろ過器においては、逆洗時にはディスクの圧締を解除して、間隙を大きくしてろ過残渣を除去する。
この積層ディスク型ろ過器の具体例としては、Arkal  Filtration  Systems製のSpin  Klin  Filter  Systemsがある。
【００２５】
３．殺菌剤供給装置
殺菌剤供給装置５は、ろ過装置４によってろ過された海水に細菌類を死滅させる殺菌剤を供給するものである。図２は殺菌剤供給装置５、ベンチュリ管装置６及び空気供給装置８の構成の説明図であり、図２においてベンチュリ管装置６の流路の軸方向断面を示している。図３は図２における矢視Ａ−Ａ図、図４は図２の一部を拡大して示す拡大図である。
殺菌剤供給装置５は、殺菌剤を貯留する殺菌剤貯槽１５と、一端側が殺菌剤貯槽１５に接続され、他端側が後述する殺菌剤分配部材２５に接続されて殺菌剤貯槽１５に貯留された殺菌剤を殺菌剤分配部材２５に供給する殺菌剤供給管１７と、殺菌剤供給管１７に設けられて殺菌剤を送り出すための殺菌剤供給ポンプ１９と、殺菌剤供給管１７に設けられて殺菌剤の供給量を調整する調整弁２０と、を備えている。
【００２６】
殺菌剤としては、塩素、二酸化塩素、次亜塩素酸ナトリウム、過酸化水素、オゾン、過酢酸またはこれらの２種以上の混合物が使用できるが、これ以外の殺菌剤を使用することも可能である。
殺菌剤の供給量は、ベンチュリ管装置６の下流側で海水中の殺菌剤濃度が細菌類を殺滅するのに十分な殺菌剤濃度になるように調整される。殺菌剤の供給量の調整は、ベンチュリ管装置６の下流側で殺菌剤濃度計（図示せず）により海水中の殺菌剤濃度を計測し、計測した殺菌剤濃度と細菌類を殺滅するのに十分な殺菌剤濃度とを比較することによって必要な殺菌剤供給量を演算し、演算された殺菌剤供給量になるように、殺菌剤供給ポンプ１９の出力または調整弁２０の開度を調整することによって行う。
【００２７】
４．ベンチュリ管装置
ベンチュリ管装置６は、ろ過装置４を通過した海水を導入して、ろ過装置４を通過した生物に対して損傷を与え、あるいは殺滅するためのものである。
本実施の形態のベンチュリ管装置６は、図２〜図４に示すように、円筒状の保護外筒２１と、この保護外筒２１の一端側に設けられた入口フランジ部材２２と、保護外筒２１の他端側に設けられた出口フランジ部材２３と、保護外筒２１の筒内に並列に配置された複数のベンチュリ管２４と、各ベンチュリ管２４に殺菌剤を分配して供給する殺菌剤分配部材２５とを備えてなるものである。
以下、ベンチュリ管装置６を構成する各部材を詳細に説明する。
【００２８】
＜保護外筒＞
保護外筒２１は、複数のベンチュリ管２４を収容するケーシングとしての機能を有するものである。保護外筒２１における入口フランジ部材２２の近傍には、殺菌剤供給管１７が挿入できるように開口する殺菌剤供給管挿入部２６が設けられている。
保護外筒２１は、海水用配管材、例えばＳＵＳ３１６Ｌ、亜鉛めっき鋼管によって形成するのが望ましい。
【００２９】
＜入口フランジ部材＞
入口フランジ部材２２は、複数のベンチュリ管２４及び保護外筒２１の一端側を保持すると共に、ベンチュリ管装置６をその上流側の配管と接続する機能を有する。
入口フランジ部材２２には、図４に示すように、保護外筒２１の一端側が挿入される円形の溝２２ａが設けられている。
また、入口フランジ部材２２には、図３に示すように、ベンチュリ管２４の一端側を保持するための円形開口部２２ｂが設けられている。ベンチュリ管２４は円形開口部２２ｂにその一端側が挿入されて保持される。
【００３０】
入口フランジ部材２２に設けられる円形開口部２２ｂの数及びその配置によって設置されるベンチュリ管２４の数及び配置が決定される。
本実施形態における入口フランジ部材２２には、図２、図３に示すように、流路の中心部に１個の円形開口部２２ｂを設け、その周囲の同心円上に６個の円形開口部２２ｂを設け、さらにこれら６個の円形開口部２２ｂの外側にさらに６個の円形開口部２２ｂを同心円上に設け、またさらにこれら６個の円形開口部２２ｂの外側にさらに６個の円形開口部２２ｂを同心円上に設けており、合計で１９個の円形開口部２２ｂを設けている。
【００３１】
また、入口フランジ部材２２の周縁部には、上流側の配管に設けられるフランジ部と接合するためのボルト穴２２ｃが複数設けられている。
入口フランジ部材２２は、海水用配管材、例えばＳＵＳ３１６Ｌ、亜鉛めっき鋼管によって形成するのが望ましい。
【００３２】
＜出口フランジ部材＞
出口フランジ部材２３は、複数のベンチュリ管２４及び保護外筒２１の他端側を保持すると共に、ベンチュリ管２４装置６をその下流側の配管と接続する機能を有する。
出口フランジ部材２３には、図４に示すように、保護外筒２１の他端側が挿入される円形の溝２３ａが設けられている。
また、出口フランジ部材２３には、入口フランジ部材２２と同様に、ベンチュリ管２４の他端側を保持するための円形開口部２３ｂが設けられており、ベンチュリ管２４は円形開口部２３ｂにその他端側が挿入されて保持される。出口フランジ部材２３に形成される円形開口部２３ｂの数と配置は、入口フランジ部材２２に設けられる円形開口部２２ｂと同様である。
また、出口フランジ部材２３の周縁部には、入口フランジ部材２２と同様に、下流側の配管に設けられるフランジ部と接合するためのボルト穴２３ｃが複数設けられている。
出口フランジ部材２３は、入口フランジ部材２２と同様に、海水用配管材、例えばＳＵＳ３１６Ｌ、亜鉛めっき鋼管によって形成するのが望ましい。
【００３３】
＜ベンチュリ管＞
各ベンチュリ管２４は、ベンチュリ管２４における絞り部２７及びのど部２９が形成された円筒状の入口部材３１と、ベンチュリ管２４におけるディフューザ部３３が形成された円筒状の出口部材３５を直列に連結して構成されている（図４参照）。
入口部材３１の入側端部が入口フランジ部材２２の円形開口部２２ｂに挿入され、出口部材３５の出側端部が出口フランジ部材２３の円形開口部２３ｂに挿入され、さらに入口部材３１の出口側端部と出口部材３５の入口側端部を突き合わすようにして連結されている。このようにベンチュリ管２４は入口フランジ部材２２と出口フランジ部材２３の間に挟まれるように保持されている。
【００３４】
入口部材３１におけるのど部２９には、殺菌剤をのど部２９に注入するための注入口３７が形成されている。
また、入口部材３１には、入口部材３１ののど部２９に殺菌剤を分配するための殺菌剤分配部材２５が設置されている。殺菌剤分配部材２５の詳細については後述する。
【００３５】
ベンチュリ管２４の数及び配置の態様は特に限定されないが、本実施の形態においては前述した入口フランジ部材２２及び出口フランジ部材２３に設けた円形開口部２２ｂ、２３ｂの数及び配置と同様の数及び配置のベンチュリ管２４が設けられている。
すなわち、図２、図３に示すように、流路の中心部に１個のベンチュリ管２４を配置し、その周囲の同心円上に６個のベンチュリ管２４を配置し、さらにこれら６個のベンチュリ管２４の外側にこれら６個のベンチュリ管２４における隣接するベンチュリ管２４の間に同心円上に６個のベンチュリ管２４を配置し、またさらにこの６個のベンチュリ管２４の外側にこれら６個のベンチュリ管２４における隣接するベンチュリ管２４の間に同心円上に６個のベンチュリ管２４を配置しており、合計で１９個のベンチュリ管２４を設置している。
【００３６】
ベンチュリ管２４における入口部材３１は、耐薬品性の高いプラスチック材（例えば、殺菌剤として次亜塩素酸ナトリウムを使用する場合には硬質塩化ビニル樹脂（ＰＶＣ）を用いる。）によって形成するのが望ましい。
また、出口部材３５は、ベンチュリ管２４におけるディフューザ部３３となることからキャビテーション気泡の崩壊によるエロージョンに対して耐久性の高い金属材料（例えばＳＵＳ３１６Ｌ、Ｔｉなど）で形成するのが望ましい。
【００３７】
＜殺菌剤分配部材＞
殺菌剤分配部材２５は、殺菌剤供給管から殺菌剤の供給を受けて、殺菌剤を複数のベンチュリ管２４に均等に分配する機能を有する。
殺菌剤分配部材２５は一定の厚みを有する板状の部材からなり、ベンチュリ管２４の数と同数の円形に開口する入口部材挿入部３８が設けられている。
【００３８】
図５は図４の矢視Ｂ−Ｂ断面図である。
殺菌剤分配部材２５は、図４、図５に示すように、入口部材挿入部３８における周壁の厚み方向中央部に円形の入口部材挿入部３８に沿うようにリング状のリング溝３９が形成されている。そして、各リング溝３９は、図５に示すように、隣接するリング溝同士が繋がっており、それ故、全てのリング溝３９が繋がっている。そして、殺菌剤分配部材２５の外周部には最も外周近くに設けられたリング溝３９のうちの少なくとも２つのリング溝３９のそれぞれに連通する薬剤供給口４０が設けられている。そして、薬剤供給口４０には薬剤供給管１７が連結されている。
【００３９】
殺菌剤分配部材２５の入口部材挿入部３８に入口部材３１が挿入されて両者が連結されているが、このとき入口部材３１に設けられた注入口３７の位置と、リング溝３９の位置が一致するように入口部材３１と殺菌剤分配部材２５の位置が調整されている。
全ての入口部材３１が殺菌剤分配部材２５の開口に挿入されると、殺菌剤分配部材２５に形成されたリング溝３９の開口側が入口部材３１の周面によって塞がれることによりリング溝３９は円弧を繋げたような流路となる。この流路は全てのベンチュリ管２４における入口部材３１の注入口３７に連通しており、それ故、薬剤供給口４０から殺菌剤を供給しこの流路のいずれかの場所から殺菌剤を供給することで全てのベンチュリ管２４に殺菌剤を供給することができる。
【００４０】
殺菌剤分配部材２５は、耐薬品性の高いプラスチック材（例えば、殺菌剤として次亜塩素酸ナトリウムを使用する場合には硬質塩化ビニル樹脂（ＰＶＣ）を用いる。）によって形成するのが望ましい。
【００４１】
＜ベンチュリ管装置の組立方法＞
以上のように構成されたベンチュリ管装置６の組立方法を説明する。
入口フランジ部材２２の各円形開口部２２ｂにそれぞれ入口部材３１を挿入し、入口部材３１の入口側端部が入口フランジ部材２２の端面と面一になるようにする。
次に、入口部材３１の出口側端部を殺菌剤分配部材２５の入口部材挿入部３８に挿入することによって殺菌剤分配部材２５を入口部材３１に取り付ける。このとき、入口部材３１に形成した注入口３７と殺菌剤分配部材２５のリング溝３９の位置を合わせる。
入口フランジ部材２２に形成された円形の溝２２ａに保護外筒２１の端部を挿入する。
【００４２】
一方、出口フランジ部材２３の円形開口部２３ｂに出口部材３５の出口側端部を挿入することによって出口部材３５を出口フランジ部材２３に取り付ける。出口フランジ部材２３に出口部材３５を取り付けた状態で、各入口部材３１の出口側端部と各出口部材３５の入口側端部とを突合せ、さらに保護外筒２１の他端部を出口フランジ部材２３の円形の溝２３ａに挿入する。
この状態で入口フランジ部材２２と出口フランジ部材２３を、図示しないボルトナットによって両者を互いに近づける方向に締結する。
なお、各部材の接合箇所には殺菌剤漏れ防止のためにＯリングなどのシールを適宜配置してある。
上記のようにして組立られたベンチュリ管装置６は、入口側フランジ部材のフランジ部を上流側配管のフランジ部とボルト接合し、出口側フランジ部材のフランジ部を下流側配管のフランジ部とボルト接合することによってバラスト水処理装置内に組み込まれる。
【００４３】
以上のように構成されたベンチュリ管装置６の作用を説明する。
殺菌剤供給管１７を通じて殺菌剤分配部材２５の薬剤供給口４０に供給された殺菌剤は、リング溝３９によって形成された流路を流れて全てのベンチュリ管２４の注入口３７に供給される。
注入口３７に供給された殺菌剤は、ベンチュリ管２４内を海水が流れることによって、エジェクタ効果によって注入口３７からのど部２９に吸い込まれる。
のど部２９に吸い込まれた殺菌剤は、ベンチュリ管２４のディフューザ部３３におけるキャビテーション気泡の崩壊と乱流の作用により、十分に混合・拡散されて、ベンチュリ管出口では、ほぼ均一な濃度になる。このようにキャビテーションの拡散作用により殺菌剤の海水中への混合を促進できるため、殺菌剤をベンチュリ管装置６の上流側に注入する場合に比べて殺菌剤の供給量を低減でき、このため環境への影響を低減でき、また殺菌剤を無害化するための殺菌剤分解剤の供給を不要にするかまたは低減できる。
ベンチュリ管装置６には、上記の殺菌剤の混合・拡散の作用の他、以下に説明する作用による生物死滅作用を有している。
【００４４】
各ベンチュリ管２４においては、のど部２９での流速の急上昇に伴う静圧の急激な低下によりキャビテーション気泡が発生し、ディフューザ部３３での流速の低下に伴う圧力上昇により成長したキャビテーション気泡が崩壊する。海水中の水生生物はキャビテーション気泡が崩壊することによる衝撃圧、せん断力、高温、酸化力の強いＯＨラジカルの作用などにより、損傷を与えられるか破壊され殺滅される。
このベンチュリ管２４のキャビテーションによれば、特に、比較的固い殻を有する原虫類、動物プランクトンの外殻を破壊し、死滅させることができる。
【００４５】
上記のようにベンチュリ管装置６には、キャビテーションの拡散作用によって海水中に殺菌剤を急速に拡散させる作用と、キャビテーション気泡の崩壊作用によって生物への損傷を与える作用とがあり、これらの作用の相乗効果によって効果的な生物死滅作用を発揮することができる。
【００４６】
５．殺菌剤分解剤供給装置
殺菌剤分解剤供給装置７は、殺菌剤を添加した海水に殺菌剤分解剤を供給して海水中に残存する殺菌剤を分解することで、無害化するものである。
供給する殺菌剤分解剤としては価格や取扱いの容易さなどの視点から、チオ硫酸ナトリウム、亜硫酸ナトリウム、重亜硫酸ナトリウムを用いることが望ましいが、これらに特に限定するものではない。
【００４７】
バラストタンク９から海水を海に排水する際に、海水中の残留殺菌剤濃度を計測し、殺菌剤を分解するのに必要な当量または当量より多めに殺菌剤分解剤を注入する。バラストタンク９からポンプ３により海水を第１バラスト水供給ライン１１に送水し、ポンプ３の上流側の配管内に殺菌剤分解剤を注入し、ポンプ３による攪拌作用により十分拡散させて配管内で殺菌剤を分解させるようにする。
【００４８】
６．空気供給装置
空気供給装置８は、殺菌剤分解剤により酸素が消費され溶存酸素濃度が低下した海水中の溶存酸素量を回復させるため、殺菌剤分解剤が供給された海水に空気を供給するための装置である。
空気供給装置８は、切替弁４１を介して殺菌剤供給管１７に接続された空気供給管４３と、空気供給管４３に空気を送るブロワ４５（または空気ポンプ）と、空気供給管４３に設けられて送られる空気量を調整する空気量調整弁４７と、を備えて構成される。
【００４９】
上記のように構成された空気供給装置８においては、ブロワ４５から空気供給管４３に送られた空気が切替弁４１を介して殺菌剤供給管１７に送られ、さらに殺菌剤分配部材２５の薬剤供給口４０、リング溝３９を経由して各ベンチュリ管２４ののど部２９の注入口３７に供給される。このように、ベンチュリ管装置６は、殺菌剤の供給と空気の供給とで兼用される。
【００５０】
本実施の形態の空気供給装置８においては、ベンチュリ管２４ののど部２９に空気を供給するので、大量の空気を短時間で大量の海水と接触させることができる。また、ベンチュリ管２４のディフューザ部３３ではキャビテーションが発生して海水の流れに大規模な乱れが発生するので、注入気泡が微細化されて気液の接触面積が大幅に増加する。これらの作用のため、海水への空気の溶け込みが非常に効率良く行われ、管路を流れている間に海水中の溶存酸素量を周辺環境に悪影響を及ぼさないレベルにまで容易にかつ迅速に回復できる。
【００５１】
なお、ベンチュリ管装置６の下流側で溶存酸素濃度計（図示せず）により溶存酸素量を計測し、周辺環境に悪影響を与えない溶存酸素量となるように空気供給量を調整する。
【００５２】
以上のように構成された本実施の形態の動作を説明する。
＜取水時の生物殺滅処理＞
まず、海から海水を取水しバラストタンク９に供給する際に行う海水中の生物殺滅処理について説明する。（図１参照）
切替弁４１を操作して、ベンチュリ管装置６に殺菌剤供給を行えるようにする。
この状態でポンプ３を稼動する。これによって、海水取水ライン１から海水が船内に取り込まれる。その際、まず粗ろ過装置２によって海水中に存在する大小様々な夾雑物、水生生物のうち１０ｍｍ程度以上の粗大物が除去される。
粗大物が除去された海水はろ過装置４に供給され、ろ過装置４の目開きに応じた大きさの動物性プランクトン、植物性プランクトン等が除去される。
粗ろ過装置２及びろ過装置４で捕捉された水生生物等は、粗ろ過装置２及びろ過装置４のフィルタ等を逆洗することにより洗い流されて海に戻される。海に戻しても同一の海域なので生態系に悪影響はない。つまり、この例ではバラスト水を積み込む際に処理をしているので、粗ろ過装置２及びろ過装置４の逆洗水をそのまま放流できるのである。
【００５３】
ろ過装置４でろ過された海水はベンチュリ管装置６に供給され、また各ベンチュリ管２４ののど部２９には殺菌剤供給装置５によって殺菌剤が供給される。
ベンチュリ管２４ののど部２９に殺菌剤を供給することによって、ベンチュリ管装置６におけるキャビテーションにより殺菌剤の海水中への拡散が促進され、細菌類の殺滅効果が増進される。さらに、ベンチュリ管装置６において、上述したメカニズムによりベンチュリ管２４に導入された海水中にキャビテーション気泡が発生して成長し、さらに成長したキャビテーション気泡が急激に崩壊することにより、海水中の水生生物に衝撃圧、せん断力、高温、酸化力の強いＯＨラジカルの作用を及ぼし、水生生物に損傷を与えるか破壊して殺滅する。
【００５４】
ベンチュリ管装置６によって生物殺滅処理が行なわれた海水を、処理水送水ライン１０を通じてバラストタンク９に送水して貯留する。
ベンチュリ管装置６の下流側で海水中の殺菌剤濃度を計測し、細菌類を殺滅するのに十分な殺菌剤濃度になるように、殺菌剤供給ポンプ１９の出力または調整弁２０の開度を調整して、殺菌剤供給量を調整する。
なお、バラストタンク９に海水を貯留する場合には、殺菌剤ｔ供給装置５から供給される殺菌剤が残存することが好ましい。これは、仮にバラストタンク９内に有害微生物が残存したとしても、残存する殺菌剤の効果によって、これらの微生物を殺滅することができるからである。殺菌剤を残存させる濃度は殺菌剤の種類、濃度、およびバラストタンク９の材質や塗装の種類によって適宜に決定し、この決定に基づいて殺菌剤の供給量を調整する。
【００５５】
＜海へ排水時の殺菌剤分解処理と溶存酸素回復処理＞
次に、バラストタンク９から殺菌剤の残留している海水を海に排出する際に行う殺菌剤分解処理と溶存酸素回復処理について説明する。
この処理を行うときは、殺菌剤の注入と兼用されているベンチュリ管装置６に空気が注入されるように切替弁４１を切り替えておく。
バラストタンク９に貯留されている海水を、ポンプ３により第１バラスト水供給ライン１１に送水し、殺菌剤分解剤供給装置７によって第１バラスト水供給ライン１１におけるポンプ上流側の配管内に殺菌剤分解剤を注入する。これによって、ポンプ３による攪拌作用により殺菌剤分解剤を海水中に十分拡散させて配管内で殺菌剤を分解する。海水中の残留殺菌剤濃度を計測し、殺菌剤を分解するのに必要な当量または当量より多めの量の殺菌剤分解剤を注入する。
【００５６】
殺菌剤分解剤を添加されたバラスト水を、第２バラスト水供給ライン１２を通じてベンチュリ管装置６に供給し、さらに空気供給装置８によりベンチュリ管２４ののど部２９に空気を供給することによってバラスト水に空気を供給し、空気が供給されたバラスト水を、バラスト水排水ライン１３を通じて海に排水する。
【００５７】
これによって、空気がベンチュリ管２４ののど部２９に注入され、前述した作用により、海水への空気の溶け込みが非常に効率良く行われることにより、管路を流れている間に海水中の溶存酸素量を周辺環境に悪影響を及ぼさないレベルにまで容易にかつ迅速に回復できる。
なお、空気供給量は、ベンチュリ管装置６の下流側において溶存酸素量を計測し、この溶存酸素量が周辺環境に悪影響を与えない量となるように調整する。
【００５８】
上記の例は海水をバラストタンク９に積み込む際に処理を行う場合であるが、海水をバラストタンク９に積み込む際には処理をしないで、バラストタンク９から海水を排出する際に処理する場合もある。この場合は、バラストタンク９から未処理のバラスト水を、ろ過装置４に供給して、以降は上記と同様の生物殺滅処理を行い、ベンチュリ管装置６から排出される殺菌剤が残留する海水に殺菌剤分解剤を供給し、さらに空気を供給して殺菌剤分解処理と溶存酸素回復処理を行うようにすればよい。
【００５９】
以上のように、本実施の形態においては、ろ過装置４で１０〜２００μｍ以上の動物性プランクトン、植物性プランクトンを除去し、ベンチュリ管装置６のベンチュリ管２４ののど部２９に殺菌剤を供給することによりプランクトンと細菌類を殺滅するようにしたので、どのような水質であっても確実かつ安価にＩＭＯが定めるバラスト水基準を満たすバラスト水の処理が実現できる。
また、ベンチュリ管装置６に殺菌剤を注入するための機構を組み込んだ構成としているので、バラスト水処理装置をコンパクトにでき設置場所を小さくすることができる。さらに、殺菌剤分解剤供給装置７と共にベンチュリ管２４ののど部２９に空気を供給する空気供給装置８を設けたので、残留する殺菌剤を無害化でき、海水中の溶存酸素量を周辺環境に悪影響を及ぼさないレベルにまで容易にかつ迅速に回復できる。また、殺菌剤注入機構と空気注入機構とをベンチュリ管装置６によって兼用するようにしたので、バラスト水処理装置全体をさらにコンパクトにでき設置場所を小さくすることができる。
【００６０】
本発明のベンチュリ管装置６におけるベンチュリ管２４ののど部２９に殺菌剤又は空気を注入する機構は、バラスト水処理装置の他に、有害物質を含んだ大量の液体に有害物質を無害化する薬剤を供給して拡散させる装置、大量の液体に空気などの気体を供給する曝気装置、気泡を微細化する装置などに転用することができる。
【図面の簡単な説明】
【００６１】
【図１】本発明の一実施の形態であるバラスト水処理装置の説明図である。
【図２】本発明の一実施の形態に係る殺菌剤供給装置およびベンチュリ管装置の説明図である。
【図３】図２の矢視Ａ-Ａ図である。
【図４】図２の一部を拡大して示す拡大図である。
【図５】図４の矢視Ｂ−Ｂ断面図である。
【図６】従来のベンチュリ管の説明図である。
【符号の説明】
【００６２】
２  粗ろ過装置、３  ポンプ、４  ろ過装置、５  殺菌剤供給装置、６  ベンチュリ管装置、７  殺菌剤分解剤供給装置、８  空気供給装置、９  バラストタンク、１５  殺菌剤貯槽、２４  ベンチュリ管、２５  殺菌剤分配部材、３９  リング溝。
【図１】
0004915811.tif 000002
【図２】
0004915811.tif 000003
【図３】
0004915811.tif 000004
【図４】
0004915811.tif 000005
【図５】
0004915811.tif 000006
【図６】
0004915811.tif 000007